(57)【要約】〔課題〕従来のバルブレスは剥ぎ取り点が高くて処理する回転数が上げられなく又サクションフィルターは剥ぎ取り用にブローオツフアンが必要であった。〔解決手段〕回転するシリンダードラムと多数のサクションパイプをアーム状に先細りにセンタードラムに直下してそのセンタードラムの片方又は両方に連通するシールボックスを設けセンタードラムの端に設けた窓よりボックスに入り堰を通り流下するようにしたもので、ドラム内の固定したセンターパイプに取り付けたドクターで回転につれて入ってくる濾液に押し出された空気を導いてドラムの内側から附着したパルプマットを浮き上げさせて剥ぎ取りを容易にさせ回転数を上げて処理量を上げるもので、又センターパイプの下部と斜め下に穴をあけてサクションパイプを通じて濾液を厚くなったパルプマットを通じて吸引出来るようにして濾水度及び濃度の変化に應じさせるようにしたものである。【特許請求の範囲】
【請求項１】
バット内液面が中心より高く保持された回転濾過ドラムに於て回転と共に中心に向ってスパイラル状に設けられたアーム状に眞真なサクションパイプで先端がテーパーになりセンタードラムに真下し、センタードラムの片側又は両側に設けられたシールボックスでシールされ、センタードラム内の固定したセンターパイプに取り付けたドクターによって眞空域と隔離され、回転に伴って浸入する濾液によって追い出される空気によりシリンダー内部より附着した繊維マットを剥離するようにしたことを特徴とするセンターバルブレスサクションフイルター。
【請求項２】
センターパイプ吸引装置でシリンダードラムの最低部からバット入口の水平部迄のサクションの空域部分からサクションパイプを通りセンタードラムに入る濾液をセンターパイプに取り付けたドクターの下部と水平に付けたバーの間に設けた穴又は窓によってセンターパイプの片方又は両側から流出量をコントロール可能な状態で行えるようにしたセンターパイプ吸引装置。
【発明の詳細な説明】
本発明は懸濁液、特に紙パルプの繊維質懸濁液用の濁槽と回転濾過ドラムが懸濁液中に半バ以上浸漬され且外側表面はワイヤークロスと孔明板によって被服され内側には軸方向に延長した小室を持ちこれら小室が各々１つづつの排出によって一緒に回転するセンタードラムに先細りのサクションパイプとして順次スパイラル状に配列してセンタードラムに噴出するようにしたもので構造は簡単めいりょうなもので集められた濾液はセンタードラムの中を通り固定されているセンターパイプに保持されている先端に合成樹脂性の刃先を持ったドクターで水封され、センタードラムを流れる濾液が片方又は両方より排水される所にシールボックスを設け堰を経て流出するような構造とし又シリンダードラムに付着したパルプマットを内部よりワイヤークロストセクターを通りドラムに入った濾液によって急速に押し出された空気が固定されたセンターパイプに取り付けたドクターに導かれてサクションパイプを経て各セクターに分散して内部より浮き上げさせて剥ぎ取りを容易に行えるように改良したもので、シリンダーの回転数を上げて処理し濾液を中心に集めることで力学的にも駆動馬力を最小にし構造簡単、シリンダー両側を密閉することにより自重より倍近い浮力を生じさせ運転重量も軽くなりサクションレグも不要となります。構造が簡単なので材料費は安くなり濾水性の高いパルプ繊維から低いもの迄、又入口濃度の変化にも応じ易く又作るにも工夫すれば大型になって４分割を要する時でも建家が１階で済み組立も治工具を整備することにより安くなり、出口濃度も高く入口度度も高く出来て処理能力も増大します。又出口濃度をそれ程要求されないドラムエキストでも大型になればシートフオーメーションにより排水濃度が低下して構造が簡単なので安価に利用可能となります。次に本発明の好適な一実施形を例として示す。図面は本発明に依る繊維質懸濁液濃縮用のドラムを示し、図面中１はパルプ懸濁液を保持するＳＳ製濁槽を示し、この濁槽は導壁２を経てほぼ半円筒形の底３に流入しこの底に結合した側壁４、５とこの側壁に直角をなす平旦平行な端壁６、７とから成る。此の溝槽内に半分以上浸漬して回転濾過ドラムが設けられこのドラム上に湿潤繊維梳毛（マット）１２を形成させ、繊維マツト引出ローラー１３又は類似の装置により、ドラムの斜め上方部分でドラムの内部よりサクションパイプを経てセンタードラム内のドクターより導かれた浸入排液の圧縮された空気の助けを借りてパルプマットは剥ぎ取られシュート１４に沿って運び出されます。次に剥ぎ取られた濾過綱は目洗いシャワー１５によってきれいにされる。又繊維懸濁液槽を以降バット９とします。次にドラムは急速にバットに侵入し始めると、そのドラムの表面のワイヤークロス１６にパルプマットを形成し始め濾液はドラムの各外周に軸と平行に仕切られ多数のセクター１８に各１ケの出口を順々に矩形からシュート付サクションパイプ１９が先細りにされ、センタードラム２０に噴出される。逆のコースを通り進入する濾液によって追い出された空気はセンタードラム内部に設けられたドクターにより吹き出しに使用され又浸入した濾液は最低部でセンタードラムに流入し始めドラム表面のマットは厚みを増し回転につれてセンタードラム内に浸入した濾液は片方又は両方の排水端の窓２１より排水槽２２を経てシールボックス２３に移動した濾液はゲート２４に堰止めされてボックスに放出されます。又ドラムの表面に附着したパルプマットはドラムのセクターに設けられた各セクターの唯一１ケ所の開孔部は順次スパイラル状に配置されドラムの回転に従い眞空度を増し先細りのサクションパイプの先端からドラムの眞上で最高の眞空度を生じさせ急速に淀みなくセンタードラムに流入しパルプマットの濃度を最高にします。次にセンタードラムに流れ出した濾液は両端で固定されたセンターパイプ２５に取り付けたドクター２６に分けられた圧縮空気部分を除外した残り部分を通ってドラムの片方又は両方に設けられた窓から排水槽を経てシールボックスに放出され堰止めされて流下しパイプによって放出されます。又センタードラム内でドクターをつけたセンターパイプは両端２７、２８で固定されます。又センタードラムは両端に設けられたプレーンメタル２９、３０によって支持され又駆動装置３１によって駆動されます。又ドラムと一緒に回転するセンタードラムは両側のサイドフレームに各々２つ割りのグランドパッキン３２、３３で封水され、又シールボックスをグランドパッキン３４で封水されます。又ドラムは両端で夫々サクションパイプの直角方向に交叉する不等辺山型鋼で補強された状態でゴムパッキン３５とＳＵＳ製化粧板で密閉され浮力を生じるようになっている。次にセンターパイプ吸引装置はドラム内底部とパット前半の水平部の空域部分からサクションパイプを通りセンタードラムに入る濾液をセンターパイプに取り付けたドクターの下部と水平部分につけられた隔壁３６との間に穴又は窓３７によって濾液を片方又は両方に流出するようにしたもので流入量を自動的に制限することで濾水度の変化と入口濃度及び流量の変化に応じられるようにしたものである。
【図面の簡単な説明】
【図１】この発明の第一実施例を示す縦断面図である。ＩＩ−ＩＩ矢視図。
【図２】この発明の第二実施例を示すＩ−Ｉ矢視断面図状態で複数のサクションパイプがセンタードラムに向って集合する状態を示し、一周している機能図でもある。
【図３】この発明の第三実施例を示す。ワイヤークロスと孔明板を取り外した状況下でサクションパイプがスパイラル状に配列されてセンタードラムと固定されるセンターパイプを持った状況を示している。
【図４】この発明の第四実施例を示し、各セクターからセンタードラムに向って放射される多数のサクションパイプの中の１本の拡大した一例である。
【図５】この発明の第五実施例を示し、サクションパイプを取り付ける前のセンタードラムと固定するセンターパイプ及びドクターとＩＩ−ＩＩ矢視図を示す。
【図６】この発明の第六実施例を示し、センタードラム端とゲート及シールボックスの断面図を示す。
【図７】この発明の第七実施例を示し、ドクターと吸引装置付センターパイプの図を示す。
【図８】この発明の第八実施例を示し、センタードラムにサクションパイプが入る代表的な各位置に於ける機能と固定されるセンターパイプとドクター及び吸引装置の拡大断面図を示す。
【符号の説明】
１，２，３，４，５，６，７，８，９，バット
１９，サクションパイプ
２０，センタードラム
２１，センタードラム端の窓
２３，シールボックス
２４，堰
２５，センターパイプ
２６，ドクター
２９，３０，プレーンメタル
３１，駆動装置
３２，３３，３４，グランドパッキン
３５  ゴムパッキンと化粧板
【図１】
2004290952.tif 000002
【図２】
2004290952.tif 000003
【図３】
2004290952.tif 000004
【図４】
2004290952.tif 000005
【図５】
2004290952.tif 000006
【図６】
2004290952.tif 000007
【図７】
2004290952.tif 000008
【図８】
2004290952.tif 000009